【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
サンプルをカートリッジに導入することと、
前記カートリッジを診断器具に導入することと、
検出可能な錯体を形成するために前記サンプルを少なくとも１つの試薬と混合することであって、前記少なくとも１つの試薬は、前記カートリッジ上に貯蔵されている、ことと、
前記診断器具の中の電気化学発光（ＥＣＬ）検出装置を用いて、前記検出可能な錯体を分析することと、
前記診断器具上のユーザインターフェースを通して検出結果を提供することと
を含む、診断システムにおいて診断検査を行う方法。
【請求項２】
前記診断器具の中のインキュベータを用いて、前記カートリッジ内の前記サンプル・試薬混合物を培養することをさらに含む、請求項１に記載の方法。
【請求項３】
検出可能な錯体を得るために前記サンプル・試薬混合物を洗浄することをさらに含む、請求項１に記載の方法。
【請求項４】
本体およびカバーを提供することであって、前記本体と前記カバーとは、一緒に嵌合する、ことと、
サンプル収集管を前記カートリッジに固定するためのサンプル収集管マウントを提供することであって、前記サンプル収集管マウントは、前記サンプル収集管に係合して前記カートリッジと前記サンプル収集管との間に流体接続を形成する少なくとも１本の針を提供する、ことと、
サンプル収集管を前記サンプル収集管マウントに提供することと、
前記サンプル収集管マウントと流体連通している濾過モジュールを提供することと、
サンプル貯蔵部を提供することと、
少なくとも１つの試薬取扱ステーションの液密および気密シールを確立し、かつ、前記診断システムの中の診断器具の少なくとも１つのプローブと流体接続を確立する多層流体シールを提供することと、
前記本体から形成され、底シールによって密閉されている少なくとも１つの流体チャネルルを提供することであって、前記底シールは、部分的に前記流体チャネルの容積を画定する、ことと
によって、前記カートリッジを提供することをさらに含む、
請求項１に記載の方法。
【請求項５】
前記診断器具は、
非ＥＣＬ検出システムを提供することと、
流体経路によって前記非ＥＣＬ検出システムに流体的に接続されている第１のプローブを提供することと、
前記流体経路によってＥＣＬ検出システムを前記非ＥＣＬ検出システムに流体的に接続することと、
前記流体経路によってポンプを前記ＥＣＬ検出システムに流体的に接続し、前記流体経路によって廃棄物プローブに流体的に接続されることと、
２つの軸を有する運動アセンブリを、前記第１のプローブおよび廃棄物プローブに接続することと
をさらに含む、請求項１に記載の方法。
【請求項６】
前記サンプルを等分するために、各々が前記本体内で流体連通している一次チャネル、二次チャネル、および少なくとも１つの受け取り器チャネルを伴うカートリッジ検定反復を提供することをさらに含み、
前記カートリッジ検定反復は、前記サンプルおよび前記少なくとも１つの試薬を処理するために構成され、前記少なくとも１つの受け取り器チャネルは、前記診断器具の光学センサと協働するように構成され、
前記少なくとも１つの受け取り器チャネルは、さらに、
前記診断器具のインキュベータとともに使用するための培養ゾーンと、
前記診断器具の磁石とともに使用するためのビーズ捕捉ゾーンと、
前記少なくとも１つの試薬を貯蔵するための少なくとも１つの貯留部であって、少なくとも１つの断面積差が、前記少なくとも１つの貯留部と前記受け取り器チャネルとの間に存在する、貯留部と
から成る、請求項４に記載の方法。
【請求項７】
前記少なくとも１つの試薬は、凍結乾燥ペレットである、請求項６に記載の方法。
【請求項８】
前記少なくとも１つの試薬は、ビーズ、凍結乾燥ペレット、緩衝剤、検出可能な標識のうちの少なくとも１つを含む、請求項１に記載の方法。
【請求項９】
前記サンプルをカートリッジに導入することは、
患者からのサンプルをサンプル収集管の中に収集することと、
サンプルを含む前記サンプル収集管を前記カートリッジの枠組み上に位置付けることであって、前記枠組みは、
カートリッジの少なくとも１つの構造部材と、
少なくとも２本の針であって、前記少なくとも２本の針は、前記少なくとも２本の針が前記サンプル収集管の隔壁を貫通すると、前記カートリッジと前記サンプル収集管との間に流体接続を確立し、前記枠組みは、前記サンプル収集管が、水平から、約９０°未満から約０°に及ぶ角度にあるような位置に前記サンプル収集管を誘導する、少なくとも２本の針と
を有する、ことと、
ガスを前記２本の針のうちの１本に導入することにより、前記ガスによって前記サンプルの変位を引き起こすことであって、変位させられた血液は、前記サンプル収集管から前記第２の針を通って流動する、ことと
を含む、請求項１に記載の方法。
【請求項１０】
前記カートリッジ内の前記サンプルを分割することをさらに含み、前記分割することは、
前記サンプル貯留部から前記カートリッジの前記一次チャネルの中へ第１の体積のサンプルを引き込むことであって、前記一次チャネルは、前記診断器具の前記光学センサによって検出される所定の容積まで充填される、ことと、
空気・液体境界を検出する、前記診断器具の前記光学センサを使用して、前記一次チャネルを充填するために使用されていない任意の残りのサンプルを前記サンプル貯留部から前記二次チャネルの中へ放出することと、
前記一次チャネルから前記少なくとも１つの受け取り器チャネルの中へ第２の体積のサンプルを引き込むことであって、前記第２の体積は、所定の体積である、ことと
を含み、
前記プロセスは、各受け取り器チャネルが前記第２の体積のサンプルを保持するまで繰り返され、
行われる前記ステップの各々は、ポンプ精度から独立している、
請求項６に記載の方法。
【請求項１１】
前記サンプルを少なくとも１つの試薬と混合することは、
前記光学センサが前記サンプルの空気・液体遷移を検出するまで、前記流体チャネル内で前記サンプルを移動させることであって、前記流体チャネルは、前記ポンプに流体的に接続されている、ことと、
前記少なくとも１つの試薬を含むウェルの中へ前記サンプルをさらに引き込み、サンプルで前記少なくとも１つの試薬を再水和させることであって、前記ウェルは、前記ポンプに流体的に接続されている、ことと、
前後ポンプ運動により、前記流体チャネルの中で前記サンプル・試薬混合物を前後に移動させ、前記少なくとも１つの流体チャネルと前記ウェルとの間の前記少なくとも１つの断面積差を通して、前記サンプル・試薬混合物を流動させることによって、前記サンプル・試薬混合物が実質的に均質になるまで、前記サンプルを前記少なくとも１つの試薬と混合することと
を含む、請求項６に記載の方法。
【請求項１２】
前記診断器具の中のインキュベータを用いて、前記カートリッジ内の前記サンプル・試薬混合物を培養することをさらに含み、前記培養することは、
インキュベータの第１のゾーンにおいて、第１のセンサを用いて、前記サンプルおよび前記少なくとも１つの試薬を含む前記カートリッジの一部分の開始温度を測定することであって、前記カートリッジは、前記インキュベータの長さよりも長さが短く、前記カートリッジの前記一部分は、前記インキュベータの前記第１のゾーンのみに接触する、ことと、
前記カートリッジの前記一部分の前記開始温度を第１の標的温度と比較することと、
第１の加熱器を用いて、前記カートリッジの前記一部分を前記第１の標的温度まで加熱することと、
ある期間にわたって閉ループ制御を使用して、前記カートリッジの一部分の前記第１の標的温度を維持することと、
前記インキュベータの第２のゾーンにおいて、第２のセンサを用いて、生物サンプルおよび少なくとも１つの試薬を含むカートリッジの第２の部分の開始温度を測定することであって、前記カートリッジの前記第２の部分は、前記インキュベータの前記第２のゾーンのみに接触する、ことと、
前記カートリッジの前記第２の部分の前記開始温度を第２の標的温度と比較することと、
第２の加熱器を用いて、前記カートリッジの前記第２の部分を前記第２の標的温度まで加熱することと、
ある期間にわたって第２の閉ループ制御を使用して、前記カートリッジの前記第２の部分の前記標的温度を維持することと
を含む、請求項１に記載の方法。
【請求項１３】
検出可能な錯体を得るために前記サンプル・試薬混合物を洗浄することをさらに含み、
前記洗浄することは、
前記サンプル・試薬混合物の空気・液体遷移を検出する前記光学センサの助けを借りて、前記少なくとも１つの流体チャネル内に検出可能な錯体を含む前記サンプル・試薬混合物を（前記ポンプおよび前記流体接続を使用して吸引することによって）位置付けることであって、前記少なくとも１つの流体チャネルは、前記ポンプに流体に接続されている、ことと、
前記流体経路の一部分の中へ前記サンプル・試薬混合物をさらに吸引することであって、前記流体経路の前記一部分において、磁石アームが位置し、前記磁石アームは、磁石が前記カートリッジと接触するように上昇させられることができる、ことと、
前記サンプル・試薬混合物内の前記検出可能な錯体を捕捉するように、前記磁石アームを前記流体経路の前記一部分まで上昇させることと、
検出可能な錯体を伴う前記サンプル・試薬混合物を吸引することであって、それによって、サンプル・試薬混合物の小塊全体は、前記磁石アームが上昇させられ、前記磁石が前記密閉された少なくとも１つの流体チャネルの片側に接触している場所を通過する、ことと、
前記ポンプに流体的に接続されている前記少なくとも１つの試薬取扱ステーションのプローブから、洗浄液パックを吸引することであって、前記パックは、液体緩衝剤および空気のセグメントを含み、前記パックは、清掃品質を有する、ことと、
前記検出可能な錯体が前記磁石アームに接続された前記磁石の磁場によって保持されている間に、捕捉された検出可能な錯体を伴う前記流体経路の一部分にわたって前記パックを分注することにより、サンプルおよび全ての非結合試薬を実質的に含まない前記検出可能な錯体を洗浄する、ことと、
前記磁石アームを下げて磁場を除去することにより、すでに洗浄されたビーズが、前記流体チャネルの中の他の場所へ輸送されることを可能にすることと
を含む、請求項６に記載の方法。
【請求項１４】
非ＥＣＬ検出システムを用いて分析することをさらに含み、前記非ＥＣＬ検出システムを用いて分析することは、
光源を用いて、前記流体経路を通って流動する前記検出可能な錯体を照射することであって、前記検出可能な錯体は、蛍光性および非蛍光性ビーズを含み、前記レーザ光源は、特定の波長を伴うレーザである、ことと、
第１のフォトダイオードを用いて、前記蛍光性ビーズを運搬する管アセンブリを起源とする透過レーザ光を検出することと、
第２のフォトダイオードを用いて、前記管アセンブリを通って進行する前記蛍光性ビーズによって放射される反射レーザ誘導蛍光を検出することと、
前記透過レーザ光および前記反射レーザ誘導蛍光を測定可能な電気信号に変換することと、
前記電気信号を処理し、前記管アセンブリを通って進行する蛍光性ビーズの量に直接関係する内部標準を計算することと、
信号の規模を前記サンプル内の既知量の蛍光性および非蛍光性ビーズに基づく予測規模と比較することと
を含む、請求項１に記載の方法。
【請求項１５】
前記検出可能な錯体を分析することは、含む、請求項１に記載の方法。
【請求項１６】
前記検出結果を提供することは、
前記検出可能な錯体の分析からのデータを使い易い形式に変換することと、
前記診断器具上のユーザインターフェースを通して前記データを出力することと
を含む、請求項１に記載の方法。
【請求項１７】
サンプル収集管から血液を抽出する方法であって、
サンプルを含む前記サンプル収集管をカートリッジ上に位置付けることであって、前記カートリッジは、
カートリッジの少なくとも１つの構造部材から成る枠組みと、
少なくとも２本の針であって、前記少なくとも２本の針は、少なくとも２本の針が前記サンプル収集管の隔壁を貫通すると、前記カートリッジとサンプル収集管との間に流体接続を確立し、前記枠組みは、前記サンプル収集管が、水平から、約９０°未満から約０°に及ぶ角度にあるような位置に前記サンプル収集管を誘導する、少なくとも２本の針と
を有する、ことと、
ガスを前記２本の針のうちの１本に導入することにより、前記ガスによって前記血液の変位を引き起こすことと
を含み、
前記変位させられた血液は、前記サンプル収集管から前記第２の針を通って流動する、方法。
【請求項１８】
前記第２の針は、濾過モジュールと流体連通している、請求項１７に記載の方法。
【請求項１９】
前記第２の針は、濾過モジュール、流体チャネル、およびサンプル貯蔵部と流体連通しており、光学センサが、前記サンプル貯蔵部が充填されたときに空気・液体境界を検出する、請求項１７に記載の方法。
【請求項２０】
カートリッジ内のサンプルを計測する方法であって、
サンプル貯留部から前記カートリッジの一次チャネルの中へ第１の体積の血漿を引き込むことであって、前記一次チャネルは、診断器具の光学センサによって検出される所定の容積まで充填される、ことと、
空気・液体境界を検出する、前記診断器具の前記光学センサを使用して、前記一次チャネルを充填するために使用されていない任意の残りの血漿を前記サンプル貯留部から前記二次チャネルの中へ放出することと、
前記一次チャネルから少なくとも１つの受け取り器チャネルの中へ第２の体積の血漿を引き込むことであって、前記第２の体積は、所定の体積である、ことと
を含み、
前記プロセスは、各受け取り器チャネルが前記第２の体積の血漿を保持するまで繰り返され、
行われる前記ステップの各々は、ポンプ精度から独立している、方法。
【請求項２１】
前記サンプル貯留部は、全アリコート体積以上である容積を有する、請求項２０に記載の方法。
【請求項２２】
前記サンプル貯留部は、約１２５μＬから約１３５μＬ、約１３５μＬから約１５０μＬ、約１５０μＬから約１７５μＬ、および約１７５μＬから約２００μＬから選択される容積を有する、請求項２０に記載の方法。
【請求項２３】
前記サンプル貯留部は、約２００μＬの容積を有する、請求項２０に記載の方法。
【請求項２４】
前記一次チャネルは、前記サンプル貯留部より小さい容積を有する、請求項２０に記載の方法。
【請求項２５】
前記一次チャネルは、約１２５μＬから約１３５μＬ、約１３５μＬから約１５０μＬ、約１５０μＬから約１７５μＬ、および約１７５μＬから約２００μＬ未満から選択される容積を有する、請求項２０に記載の方法。
【請求項２６】
前記一次チャネルは、約１５０μＬの容積を有する、請求項２０に記載の方法。
【請求項２７】
前記二次チャネルは、前記サンプル貯留部より小さい容積を有する、請求項２０に記載の方法。
【請求項２８】
前記二次チャネルは、約１２５μＬから約１３５μＬ、約１３５μＬから約１５０μＬ、約１５０μＬから約１７５μＬ、および約１７５μＬから約２００μＬ未満から選択される容積を有する、請求項２０に記載の方法。
【請求項２９】
前記二次チャネルは、約１５０μＬの容積を有する、請求項２０に記載の方法。
【請求項３０】
前記二次チャネルは、前記サンプル貯留部の容積と前記一次チャネル容積との間の容積の差より大きい容積を有する、請求項２０に記載の方法。
【請求項３１】
前記一次チャネル、前記二次チャネル、および前記受け取り器チャネルの各々は、隔壁シールを通して貫通させられるプローブを使用して、診断器具のポンプに流体的に接続される、請求項２０に記載の方法。
【手続補正２】
【補正対象書類名】明細書
【補正対象項目名】００１６
【補正方法】変更
【補正の内容】
【００１６】
この実施形態の概要は、実施形態の全ての特徴または必要な特徴を必ずしも説明するわけではない。実施形態はまた、説明された特徴の副次的組み合わせにも存在し得る。
本発明は、例えば、以下を提供する。
（項目１）
少なくとも１本の針と、少なくとも１つの貯留部と、少なくとも１つの流体シールと、流体経路の少なくとも１つの流体チャネルとを備えているカートリッジであって、前記カートリッジは、前記カートリッジ上に少なくとも１つの試薬および少なくとも１つの廃棄物を貯蔵するように構成される、カートリッジと、
前記流体経路と、電気化学発光（ＥＣＬ）検出システムと、ポンプとを備えている診断器具であって、前記流体経路は、前記カートリッジの中で開始および終了し、前記診断器具と前記カートリッジとを流体的に接続する経路の中で実質的に単一の流動方向を有する、診断器具と
を備えている、診断システム。
（項目２）
前記カートリッジは、
本体およびカバーであって、前記本体と前記カバーとは、一緒に嵌合する、本体およびカバーと、
サンプル収集管を前記カートリッジに固定するサンプル収集管マウントであって、前記サンプル収集管マウントは、前記サンプル収集管に係合して前記カートリッジと前記サンプル収集管との間に流体接続を形成する前記少なくとも１本の針を含む、サンプル収集管マウントと、
前記サンプル収集管マウントと流体連通している濾過モジュールと、
前記濾過モジュールと流体連通しているサンプル貯蔵部と、
前記本体から形成されている少なくとも１つの試薬取扱ステーションと、
前記少なくとも１つの試薬取扱ステーションの液および気密シールを確立し、かつ、前記診断システムの中の前記診断器具の少なくとも１つのプローブと流体接続を確立する多層流体シールと
をさらに備え、
前記少なくとも１つの流体チャネルは、前記本体から形成され、底シールによって密閉される、前記底シールは、部分的に前記流体チャネルの容積を画定する、
項目１に記載の診断システム。
（項目３）
前記診断器具は、
非ＥＣＬ検出システムと、
前記流体経路によって前記非ＥＣＬ検出システムに流体的に接続されている第１のプローブと、
前記流体経路によって前記非ＥＣＬ検出システムに流体的に接続されているＥＣＬ検出システムであって、前記ポンプは、前記流体経路によって前記ＥＣＬ検出システムに流体的に接続され、前記流体経路によって廃棄物プローブに流体的に接続されている、ＥＣＬ検出システムと、
前記第１のプローブおよび廃棄物プローブに機械的に接続されている２つの軸を有する運動アセンブリと
をさらに備えている、項目１に記載の診断システム。
（項目４）
前記少なくとも１つのプローブは、第１のプローブと、廃棄物プローブとを備え、前記流体経路は、前記カートリッジとの第１のプローブ係合と、前記カートリッジとの廃棄物プローブ係合とを含む、項目１に記載の診断システム。
（項目５）
前記少なくとも１つの貯留部は、第１の貯留部と、廃棄物貯留部とを備えている、項目１に記載の診断システム。
（項目６）
前記第１の貯留部と前記廃棄物貯留部とは、同一の貯留部である、項目５に記載の診断システム。
（項目７）
前記第１の貯留部と前記廃棄物貯留部とは、異なる貯留部である、項目５に記載の診断システム。
（項目８）
前記第１の貯留部が空にされた後、前記第１の貯留部は、前記廃棄物貯留部として使用される、項目５に記載の診断システム。
（項目９）
前記第１のプローブは、前記カートリッジの第１の貯留部に流体的に接続する、項目４に記載の診断システム。
（項目１０）
前記第１の貯留部は、診断試薬を含む、項目９に記載の診断システム。
（項目１１）
前記廃棄物プローブは、前記カートリッジの廃棄物貯留部に流体的に接続する、項目４に記載の診断システム。
（項目１２）
前記廃棄物貯留部は、廃棄物を受け取る、項目１１に記載の診断システム。
（項目１３）
前記廃棄物は、処理された試薬、血液濾液、および処理された血漿のうちの少なくとも１つを含む、項目１２に記載の診断システム。
（項目１４）
前記流体経路は、前記少なくとも１つのプローブの直径と同一である直径を有する、項目１に記載の診断システム。
（項目１５）
前記実質的に単一の流動方向は、診断検査間に実質的に検出可能なキャリーオーバーがないように、診断検査間のキャリーオーバーの可能性を低減させる、項目１に記載の診断システム。
（項目１６）
前記実質的に単一の流動方向は、異なるカートリッジの診断検査間に実質的に検出可能なキャリーオーバーがないように、前記診断システムとともに使用される異なるカートリッジ間のキャリーオーバーを防止する、項目１に記載の診断システム。
（項目１７）
流体は、順に、第１の貯留部から、第１のプロープへ、非ＥＣＬ検出システムへ、前記ＥＣＬ検出システムへ、前記ポンプを通って、廃棄物プローブへ、および廃棄物貯留部へ流動し、各々は、前記流体経路によって流体的に接続されている、項目１に記載の診断システム。
（項目１８）
少なくとも１つの試薬および少なくとも１つの廃棄物が、前記カートリッジ上に貯蔵される、項目１に記載の診断システム。
（項目１９）
少なくとも１つの試薬および少なくとも１つの廃棄物が、前記診断器具の中ではなく、前記カートリッジ上に貯蔵される、項目１に記載の診断システム。
（項目２０）
いかなるサンプルも前記診断器具上に貯蔵されない、項目１に記載の診断システム。
（項目２１）
いかなる流体も前記診断器具上に貯蔵されない、項目１に記載の診断システム。
（項目２２）
いかなる試薬も前記診断器具上に貯蔵されない、項目１に記載の診断システム。
（項目２３）
全ての流体は、前記カートリッジ上に貯蔵される、項目１に記載の診断システム。
（項目２４）
全ての試薬は、前記カートリッジ上に貯蔵される、項目１に記載の診断システム。
（項目２５）
前記ＥＣＬ検出モジュールは、
最上部および基部を有する包囲体であって、前記基部の表面は、平坦であり、作業表面を形成し、前記最上部は、前記包囲体の底部の役割を果たす前記基部に取り付けられ、それによって、正確な高さの空洞を形成する、包囲体と、
第１の電極表面、第２の電極表面、および第１のガスケット切り抜きによって境界される測定格納領域であって、前記第１の電極および前記第２の電極は、積み重ねられ、前記第１のガスケットによって分離され、前記基部は、前記第１の電極を支持し、前記第１のガスケットは、圧縮可能な厚さを有し、前記電極／ガスケットスタックは、前記第１および第２の電極表面の間に正確な所定の分離間隙を作成するように前記空洞の中に存在する、測定格納領域と、
ＥＣＬ検出を促進する、前記第２の電極の少なくとも１つの切り抜きの中の透明窓であって、前記第２の電極の前記少なくとも１つの切り抜きの中の少なくとも１つの入口ポートおよび少なくとも１つの出口ポートは、前記測定格納領域の中および外に流体を輸送する、透明窓と、
周囲光を除外する、前記ＥＣＬモジュールを包囲する不透明な包囲体と
を備えている、項目１に記載の診断システム。
（項目２６）
サンプルをカートリッジに導入することと、
前記カートリッジを診断器具に導入することと、
検出可能な錯体を形成するために前記サンプルを少なくとも１つの試薬と混合することであって、前記少なくとも１つの試薬は、前記カートリッジ上に貯蔵されている、ことと、
前記診断器具の中の電気化学発光（ＥＣＬ）検出装置を用いて、前記検出可能な錯体を分析することと、
前記診断器具上のユーザインターフェースを通して検出結果を提供することと
を含む、診断システムにおいて診断検査を行う方法。
（項目２７）
前記診断器具の中のインキュベータを用いて、前記カートリッジ内の前記サンプル・試薬混合物を培養することをさらに含む、項目２６に記載の方法。
（項目２８）
検出可能な錯体を得るために前記サンプル・試薬混合物を洗浄することをさらに含む、項目２６に記載の方法。
（項目２９）
本体およびカバーを提供することであって、前記本体と前記カバーとは、一緒に嵌合する、ことと、
サンプル収集管を前記カートリッジに固定するためのサンプル収集管マウントを提供することであって、前記サンプル収集管マウントは、前記サンプル収集管に係合して前記カートリッジと前記サンプル収集管との間に流体接続を形成する少なくとも１本の針を提供する、ことと、
サンプル収集管を前記サンプル収集管マウントに提供することと、
前記サンプル収集管マウントと流体連通している濾過モジュールを提供することと、
サンプル貯蔵部を提供することと、
少なくとも１つの試薬取扱ステーションの液密および気密シールを確立し、かつ、前記診断システムの中の前記診断器具の少なくとも１つのプローブと流体接続を確立する多層流体シールを提供することと、
前記本体から形成され、底シールによって密閉されている少なくとも１つの流体チャネルルを提供することであって、前記底シールは、部分的に流体チャネルの容積を画定する、ことと
によって、前記カートリッジを提供することをさらに含む、
項目２６に記載の方法。
（項目３０）
前記診断器具は、
非ＥＣＬ検出システムを提供することと、
流体経路によって前記非ＥＣＬ検出システムに流体的に接続されている第１のプローブを提供することと、
前記流体経路によってＥＣＬ検出システムを前記非ＥＣＬ検出システムに流体的に接続することと、
前記流体経路によってポンプを前記ＥＣＬ検出システムに流体的に接続し、前記流体経路によって廃棄物プローブに流体的に接続されることと、
２つの軸を有する運動アセンブリを、前記第１のプローブおよび廃棄物プローブに接続することと
をさらに含む、項目２６に記載の方法。
（項目３１）
前記サンプルを等分するために、各々が前記本体内で流体連通している一次チャネル、二次チャネル、および少なくとも１つの受け取り器チャネルを伴うカートリッジ検定反復を提供することをさらに含み、
前記カートリッジ検定反復は、前記サンプルおよび前記少なくとも１つの試薬を処理するために構成され、前記少なくとも１つの受け取り器チャネルは、前記診断器具の光学センサと協働するように構成され、
前記少なくとも１つの受け取り器チャネルは、さらに、
前記診断器具のインキュベータとともに使用するための培養ゾーンと、
前記診断器具の磁石とともに使用するためのビーズ捕捉ゾーンと、
前記少なくとも１つの試薬を貯蔵するための少なくとも１つの貯留部であって、少なくとも１つの断面積差が、前記少なくとも１つの貯留部と前記受け取り器チャネルとの間に存在する、貯留部と
から成る、項目２９に記載の方法。
（項目３２）
前記少なくとも１つの試薬は、凍結乾燥ペレットである、項目３１に記載の方法。
（項目３３）
前記少なくとも１つの試薬は、ビーズ、凍結乾燥ペレット、緩衝剤、検出可能な標識のうちの少なくとも１つを含む、項目２６に記載の方法。
（項目３４）
前記サンプルをカートリッジに導入することは、
患者からのサンプルをサンプル収集管の中に収集することと、
サンプルを含む前記サンプル収集管を前記カートリッジの枠組み上に位置付けることであって、前記枠組みは、
カートリッジの少なくとも１つの構造部材と、
少なくとも２本の針であって、前記少なくとも２本の針は、前記少なくとも２本の針が前記サンプル収集管の隔壁を貫通すると、前記カートリッジと前記サンプル収集管との間に流体接続を確立し、前記枠組みは、前記サンプル収集管が、水平から、９０°未満から約０°に及ぶ角度にあるような位置に前記サンプル収集管を誘導する、少なくとも２本の針と
を有する、ことと、
ガスを前記２本の針のうちの１本に導入することにより、前記ガスによって前記サンプルの変位を引き起こすことであって、変位させられた血液は、前記サンプル収集管から前記第２の針を通って流動する、ことと
を含む、項目２６に記載の方法。
（項目３５）
前記カートリッジ内の前記サンプルを分割することをさらに含み、前記分割することは、
前記サンプル貯留部から前記カートリッジの前記一次チャネルの中へ第１の体積のサンプルを引き込むことであって、前記一次チャネルは、前記診断器具の前記光学センサによって検出される所定の容積まで充填される、ことと、
空気・液体境界を検出する、前記診断器具の前記光学センサを使用して、前記一次チャネルを充填するために使用されていない任意の残りのサンプルを前記サンプル貯留部から前記二次チャネルの中へ放出することと、
前記一次チャネルから前記少なくとも１つの受け取り器チャネルの中へ第２の体積のサンプルを引き込むことであって、前記第２の体積は、所定の体積である、ことと
を含み、
前記プロセスは、各受け取り器チャネルが前記第２の体積のサンプルを保持するまで繰り返され、
行われる前記ステップの各々は、ポンプ精度から独立している、
項目３１に記載の方法。
（項目３６）
前記サンプルを少なくとも１つの試薬と混合することは、
前記光学センサが前記サンプルの空気・液体遷移を検出するまで、前記流体チャネル内で前記サンプルを移動させることであって、前記流体チャネルは、前記ポンプに流体的に接続されている、ことと、
前記少なくとも１つの試薬を含むウェルの中へ前記サンプルをさらに引き込み、サンプルで前記少なくとも１つの試薬を再水和させることであって、前記ウェルは、前記ポンプに流体的に接続されている、ことと、
前後ポンプ運動により、前記流体チャネルの中で前記サンプル・試薬混合物を前後に移動させ、前記少なくとも１つの流体チャネルと前記ウェルとの間の前記少なくとも１つの断面積差を通して、前記サンプル・試薬混合物を流動させることによって、前記サンプル・試薬混合物が実質的に均質になるまで、前記サンプルを前記少なくとも１つの試薬と混合することと
を含む、項目３１に記載の方法。
（項目３７）
前記診断器具の中のインキュベータを用いて、前記カートリッジ内の前記サンプル・試薬混合物を培養することをさらに含み、前記培養することは、
インキュベータの第１のゾーンにおいて、第１のセンサを用いて、前記サンプルおよび前記少なくとも１つの試薬を含む前記カートリッジの一部分の開始温度を測定することであって、前記カートリッジは、前記インキュベータの長さよりも長さが短く、前記カートリッジの前記一部分は、前記インキュベータの前記第１のゾーンのみに接触する、ことと、
前記カートリッジの前記一部分の前記開始温度を第１の標的温度と比較することと、
第１の加熱器を用いて、前記カートリッジの前記一部分を前記第１の標的温度まで加熱することと、
ある期間にわたって閉ループ制御を使用して、前記カートリッジの一部分の前記第１の標的温度を維持することと、
前記インキュベータの第２のゾーンにおいて、第２のセンサを用いて、生物サンプルおよび少なくとも１つの試薬を含むカートリッジの第２の部分の開始温度を測定することであって、前記カートリッジの前記第２の部分は、前記インキュベータの前記第２のゾーンのみに接触する、ことと、
前記カートリッジの前記第２の部分の前記開始温度を第２の標的温度と比較することと、
第２の加熱器を用いて、前記カートリッジの前記第２の部分を前記第２の標的温度まで加熱することと、
ある期間にわたって第２の閉ループ制御を使用して、前記カートリッジの前記第２の部分の前記標的温度を維持することと
を含む、項目２６に記載の方法。
（項目３８）
検出可能な錯体を得るために前記サンプル・試薬混合物を洗浄することをさらに含み、
前記洗浄することは、
前記サンプル・試薬混合物の空気・液体遷移を検出する前記光学センサの助けを借りて、前記少なくとも１つの流体チャネル内に検出可能な錯体を含む前記サンプル・試薬混合物を（前記ポンプおよび前記流体接続を使用して吸引することによって）位置付けることであって、前記少なくとも１つの流体チャネルは、前記ポンプに流体に接続されている、ことと、
前記流体経路の一部分の中へ前記サンプル・試薬混合物をさらに吸引することであって、前記流体経路の前記一部分において、磁石アームが位置し、前記磁石アームは、磁石が前記カートリッジと接触するように上昇させられることができる、ことと、
前記サンプル・試薬混合物内の前記検出可能な錯体を捕捉するように、前記磁石アームを前記流体経路の前記一部分まで上昇させることと、
検出可能な錯体を伴う前記サンプル・試薬混合物を吸引することであって、それによって、サンプル・試薬混合物の小塊全体は、前記磁石アームが上昇させられ、前記磁石が前記密閉された少なくとも１つの流体チャネルの片側に接触している場所を通過する、ことと、
前記ポンプに流体的に接続されている前記少なくとも１つの試薬取扱ステーションのプローブから、洗浄液パックを吸引することであって、前記パックは、液体緩衝剤および空気のセグメントを含み、前記パックは、清掃品質を有する、ことと、
前記検出可能な錯体が前記磁石アームに接続された前記磁石の磁場によって保持されている間に、捕捉された検出可能な錯体を伴う前記流体経路の一部分にわたって前記パックを分注することにより、サンプルおよび全ての非結合試薬を実質的に含まない前記検出可能な錯体を洗浄する、ことと、
前記磁石アームを下げて磁場を除去することにより、すでに洗浄されたビーズが、前記流体チャネルの中の他の場所へ輸送されることを可能にすることと
を含む、項目３１に記載の方法。
（項目３９）
非ＥＣＬ検出システムを用いて分析することをさらに含み、前記非ＥＣＬ検出システムを用いて分析することは、
光源を用いて、前記流体経路を通って流動する前記検出可能な錯体を照射することであって、前記検出可能な錯体は、蛍光性および非蛍光性ビーズを含み、前記レーザ光源は、特定の波長を伴うレーザである、ことと、
第１のフォトダイオードを用いて、前記蛍光性ビーズを運搬する管アセンブリを起源とする透過レーザ光を検出することと、
第２のフォトダイオードを用いて、前記管アセンブリを通って進行する前記蛍光性ビーズによって放射される反射レーザ誘導蛍光を検出することと、
前記透過レーザ光および前記反射レーザ誘導蛍光を測定可能な電気信号に変換することと、
前記電気信号を処理し、前記管アセンブリを通って進行する蛍光性ビーズの量に直接関係する内部標準を計算することと、
信号の規模を前記サンプル内の既知量の蛍光性および非蛍光性ビーズに基づく予測規模と比較することと
を含む、項目２６に記載の方法。
（項目４０）
前記検出可能な錯体を分析することは、含む、項目２６に記載の方法。
（項目４１）
前記検出結果を提供することは、
前記検出可能な錯体の分析からのデータを使い易い形式に変換することと、
前記診断器具上のユーザインターフェースを通して前記データを出力することと、
を含む、項目２６に記載の方法。
（項目４２）
サンプル収集管から血液を抽出する方法であって、
サンプルを含む前記サンプル収集管をカートリッジ上に位置付けることであって、前記カートリッジは、
カートリッジの少なくとも１つの構造部材から成る枠組みと、
少なくとも２本の針であって、前記少なくとも２本の針は、少なくとも２本の針が前記サンプル収集管の隔壁を貫通すると、前記カートリッジとサンプル収集管との間に流体接続を確立し、前記枠組みは、前記サンプル収集管が、水平から、９０°未満から約０°に及ぶ角度にあるような位置に前記サンプル収集管を誘導する、少なくとも２本の針と
を有する、ことと、
ガスを前記２本の針のうちの１本に導入することにより、前記ガスによって前記血液の変位を引き起こすことと
を含み、
前記変位させられた血液は、前記サンプル収集管から前記第２の針を通って流動する、方法。
（項目４３）
前記第２の針は、濾過モジュールと流体連通している、項目４２に記載の方法。
（項目４４）
前記第２の針は、濾過モジュール、流体チャネル、およびサンプル貯蔵部と流体連通しており、光学センサが、前記サンプル貯蔵部が充填されたときに空気・液体境界を検出する、項目４２に記載の方法。
（項目４５）
カートリッジ内のサンプルを計測する方法であって、
サンプル貯留部から前記カートリッジの一次チャネルの中へ第１の体積のサンプルを引き込むことであって、前記一次チャネルは、診断器具の光学センサによって検出される所定の容積まで充填される、ことと、
空気・液体境界を検出する、前記診断器具の前記光学センサを使用して、前記一次チャネルを充填するために使用されていない任意の残りの血漿を前記サンプル貯留部から前記二次チャネルの中へ放出することと、
前記一次チャネルから少なくとも１つの受け取り器チャネルの中へ第２の体積の血漿を引き込むことであって、前記第２の体積は、所定の体積である、ことと
を含み、
前記プロセスは、各受け取り器チャネルが前記第２の体積の血漿を保持するまで繰り返され、
行われる前記ステップの各々は、ポンプ精度から独立している、方法。
（項目４６）
前記サンプル貯留部は、全アリコート体積以上である容積を有する、項目４５に記載の方法。
（項目４７）
前記サンプル貯留部は、約１２５μＬから約１３５μＬ、約１３５μＬから約１５０μＬ、約１５０μＬから約１７５μＬ、および約１７５μＬから約２００μＬから選択される容積を有する、項目４５に記載の方法。
（項目４８）
前記サンプル貯留部は、約２００μＬの容積を有する、項目４５に記載の方法。
（項目４９）
前記一次チャネルは、前記サンプル貯留部より小さい容積を有する、項目４５に記載の方法。
（項目５０）
前記一次チャネルは、約１２５μＬから約１３５μＬ、約１３５μＬから約１５０μＬ、約１５０μＬから約１７５μＬ、および約１７５μＬから約２００μＬ未満から選択される容積を有する、項目４５に記載の方法。
（項目５１）
前記一次チャネルは、約１５０μＬの容積を有する、項目４５に記載の方法。
（項目５２）
前記二次チャネルは、前記サンプル貯留部より小さい容積を有する、  項目４５に記載の方法。
（項目５３）
前記二次チャネルは、約１２５μＬから約１３５μＬ、約１３５μＬから約１５０μＬ、約１５０μＬから約１７５μＬ、および約１７μＬから約２００μＬ未満から選択される容積を有する、項目４５に記載の方法。
（項目５４）
前記二次チャネルは、約１５０μＬの容積を有する、項目４５に記載の方法。
（項目５５）
前記二次チャネルは、前記サンプル貯留部の容積と前記一次チャネル容積との間の容積の差より大きい容積を有する、項目４５に記載の方法。
（項目５６）
前記一次チャネル、前記二次チャネル、および前記受け取り器チャネルの各々は、隔壁シールを通して貫通させられるプローブを使用して、診断器具のポンプに流体的に接続される、項目４５に記載の方法。
（項目５７）
カートリッジ上に乾燥試薬および液体試薬を一緒に貯蔵する方法であって、
前記カートリッジの中で、前記カートリッジの少なくとも１つの流体貯蔵コンパートメントに少なくとも１つの液体を貯蔵することと、
前記カートリッジの中で、少なくとも１つの乾燥試薬貯蔵コンパートメントに少なくとも１つの乾燥試薬を貯蔵することであって、前記少なくとも１つの流体貯蔵コンパートメントは、前記カートリッジ上で前記少なくとも１つの乾燥試薬貯蔵コンパートメントに隣接し、前記カートリッジは、前記少なくとも１つの乾燥試薬を吸湿材料に接続する経路を有する、ことと、
吸湿材料を伴う気密包装の中にカートリッジを密閉することであって、前記吸湿材料は、前記液体から前記少なくとも１つの流体貯蔵コンパートメントの壁を通って拡散する水分の吸収に対して前記少なくとも１つの乾燥試薬より優れている、ことと
を含む、方法。
（項目５８）
前記少なくとも１つの流体貯蔵コンパートメントの前記壁は、低い水蒸気透過率を有する材料から作製される、項目５７に記載の方法。
（項目５９）
前記少なくとも１つの流体貯蔵コンパートメントの前記壁は、環状オレフィン共重合体から作製される、項目５７に記載の方法。
（項目６０）
前記吸湿材料は、乾燥剤である、項目５７に記載の方法。
（項目６１）
前記乾燥剤は、ＤＲＩＥＲＩＴＥ（登録商標）である、項目５７に記載の方法。
（項目６２）
前記包装は、ホイルパウチである、項目５７に記載の方法。
（項目６３）
貯蔵された液体および乾燥試薬の両方を有するカートリッジ用の乾燥システムであって、
前記カートリッジの中で、前記カートリッジの少なくとも１つの流体貯蔵コンパートメントに少なくとも１つの液体を貯蔵することと、
前記カートリッジの中で、少なくとも１つの乾燥試薬貯蔵コンパートメントに少なくとも１つの乾燥試薬を貯蔵することと、
気密包装の中に乾燥剤を伴うカートリッジを密閉することと
を含み、
前記カートリッジは、前記乾燥試薬と乾燥剤が位置する前記カートリッジ外部とを接続する少なくとも１つの通路を有する、乾燥システム。
（項目６４）
前記少なくとも１つの流体貯蔵コンパートメントは、前記カートリッジ上で前記少なくとも１つの乾燥試薬貯蔵コンパートメントに隣接している、項目６３に記載の乾燥システム。
（項目６５）
前記少なくとも１つの流体貯蔵コンパートメントは、前記カートリッジ内の壁によって、前記少なくとも１つの乾燥試薬貯蔵コンパートメントから分離されている、項目６３に記載の乾燥システム。
（項目６６）
前記少なくとも１つの流体貯蔵コンパートメントは、環状オレフィン共重合体で作製された壁によって、前記少なくとも１つの乾燥試薬貯蔵コンパートメントから分離されている、項目６３に記載の乾燥システム。
（項目６７）
前記乾燥剤は、前記少なくとも１つの乾燥試薬より多くの水を吸収する、項目６３に記載の乾燥システム。
（項目６８）
前記乾燥剤への水蒸気の輸送速度は、前記カートリッジ上の前記少なくとも１つの乾燥試薬貯蔵コンパートメントへの水蒸気の輸送速度より速い、項目６３に記載の乾燥システム。
（項目６９）
前記乾燥剤は、分子篩である、項目６３に記載の乾燥システム。
（項目７０）
前記乾燥剤は、シリカである、項目６３に記載の乾燥システム。
（項目７１）
カートリッジの処理中に、存在する場合、ビーズ回収を検出および測定する非ＥＣＬ非接触方法であって、
光源を用いて、前記流体経路を通って流動する処理されたサンプルを照射することであって、
前記サンプルは、蛍光性および非蛍光性ビーズを含み、前記レーザ光源は、特定の波長を伴うレーザである、ことと、
第１のフォトダイオードを用いて、前記蛍光性ビーズを運搬する管アセンブリを起源とする透過レーザ光を検出することと、
第２のフォトダイオードを用いて、前記管アセンブリを通って進行する前記蛍光性ビーズによって放射される反射レーザ誘導蛍光を検出することと、
前記透過レーザ光および前記反射レーザ誘導蛍光を測定可能な電気信号に変換することと、
前記電気信号を処理し、前記管アセンブリを通って進行する蛍光性ビーズの量に直接関係する内部標準を計算することと、
信号の規模を前記サンプル内の既知量の蛍光性および非蛍光性ビーズに基づいて予測規模と比較することと
を含む、方法。
（項目７２）
臨床診断器具上での検定構築後に、存在する場合、ＥＣＬビーズ回収を測定する蛍光ベースの非干渉方法であって、
光源を用いて、管アセンブリを通って流動するサンプルを照射することであって、前記サンプルは、蛍光性ビーズおよびＥＣＬビーズを含む、ことと、
蛍光を測定することと、
蛍光信号を標準化数量の蛍光性ビーズからの蛍光信号と比較することによって、前記蛍光信号を処理し、ＥＣＬビーズ回収を計算することと
を含む、方法。
（項目７３）
蛍光標識ビーズのうちの少なくとも１つおよびＥＣＬ標識ビーズのうちの少なくとも１つの混合物を備えている、検定組成物。
（項目７４）
ビーズは、蛍光標識化およびＥＣＬ標識化の両方を行われることができる、項目７３に記載の検定組成物。
（項目７５）
診断システムで使用するためのカートリッジであって、
本体およびカバーであって、前記本体と前記カバーとは、一緒に嵌合する、本体およびカバーと、
サンプル収集管を前記カートリッジに固定するサンプル収集管マウントであって、前記サンプル収集管マウントは、前記サンプル収集管に係合して前記カートリッジと前記サンプル収集管との間に流体接続を形成する少なくとも１本の針を有する、サンプル収集管マウントと、
前記本体から形成されている少なくとも１つの試薬取扱ステーションと、
前記少なくとも１つの試薬取扱ステーションの液密および気密シールを確立し、かつ、前記診断システムの中の診断器具の少なくとも１つのプローブと流体接続を確立する多層流体シールと、
前記本体から形成され、底シールによって密閉されている少なくとも１つの流体チャネルルであって、前記底シールは、部分的に前記流体チャネルの容積を画定する、少なくとも１つの流体チャネルと
を備えている、カートリッジ。
（項目７６）
診断システムで使用するためのカートリッジであって、
本体およびカバーであって、前記本体と前記カバーとは、一緒に嵌合する、本体およびカバーと、
サンプル収集管を前記カートリッジに固定するサンプル収集管マウントであって、前記サンプル収集管マウントは、前記サンプル収集管に係合して前記カートリッジと前記サンプル収集管との間に流体接続を形成する少なくとも１本の針を有する、サンプル収集管マウントと、
サンプル収集管と、
前記サンプル収集管マウントと流体連通している濾過モジュールと、
サンプル貯蔵部と、
少なくとも１つの試薬取扱ステーションの液密および気密シールを確立し、かつ、前記診断システムの中の診断器具の少なくとも１つのプローブと流体接続を確立する多層流体シールと、
前記本体から形成され、底シールによって密閉されている少なくとも１つの流体チャネルルであって、前記底シールは、部分的に前記流体チャネルの容積を画定する、少なくとも１つの流体チャネルと
を備えている、カートリッジ。
（項目７７）
閉鎖流体経路を有する診断システムであって、
少なくとも２つのプローブと、流体経路と、非電気化学発光（ＥＣＬ）検出システムと、
ＥＣＬ検出システムと、ポンプとを備えている診断器具と、
少なくとも１本の針と、少なくとも１つの貯留部と、少なくとも１つの流体シールと、少なくとも１つの流体チャネルとを備えているカートリッジと、
サンプル収集管と、
前記閉鎖流体経路であって、前記経路は、前記カートリッジの中で開始および終了し、前記診断器具と前記カートリッジとを流体的に接続する経路の中で実質的に単一の流動方向を有する、前記閉鎖流体経路と
を備えている、診断システム。
（項目７８）
前記少なくとも１つのプローブは、第１のプローブと、廃棄物プローブとを備え、前記閉鎖流体経路は、前記カートリッジとの第１のプローブ係合と、前記カートリッジとの廃棄物プローブ係合とを含む、項目７７に記載の診断システム。
（項目７９）
前記少なくとも１つの貯留部は、第１の貯留部と、廃棄物貯留部とを備えている、項目７７に記載の診断システム。
（項目８０）
前記第１の貯留部と前記廃棄物貯留部とは、同一の貯留部である、項目７９に記載の診断システム。
（項目８１）
前記第１の貯留部と前記廃棄物貯留部とは、異なる貯留部である、項目７９に記載の診断システム。
（項目８２）
前記第１の貯留部が空にされた後、前記第１の貯留部は、前記廃棄物貯留部として使用される、項目７９に記載の診断システム。
（項目８３）
前記第１のプローブは、前記使い捨てカートリッジの第１の貯留部に流体的に接続する、項目７８に記載の診断システム。
（項目８４）
前記第１の貯留部は、診断試薬を含む、項目８３に記載の診断システム。
（項目８５）
前記廃棄物プローブは、前記使い捨てカートリッジの廃棄物貯留部に流体的に接続する、項目７８に記載の診断システム。
（項目８６）
前記廃棄物貯留部は、廃棄物を受け取る、項目８５に記載の診断システム。
（項目８７）
前記廃棄物は、処理された試薬、血液濾液、および処理された血漿のうちの少なくとも１つを含む、項目８６に記載の診断システム。
（項目８８）
前記流体経路は、前記少なくとも１つのプローブの直径と同一である直径を有する、項目７７に記載の診断システム。
（項目８９）
前記実質的に単一の流動方向は、診断検査間に実質的に検出可能なキャリーオーバーがないように、診断検査間のキャリーオーバーの可能性を低減させる、項目７７に記載の診断システム。
（項目９０）
前記実質的に単一の流動方向は、異なるカートリッジの診断検査間に実質的に検出可能なキャリーオーバーがないように、前記診断システムとともに使用される異なるカートリッジ間のキャリーオーバーを防止する、項目７７に記載の診断システム。
（項目９１）
流体は、順に、第１の貯留部から、第１のプロープへ、非ＥＣＬ検出システムへ、前記ＥＣＬ検出システムへ、前記ポンプを通って、廃棄物プローブへ、および廃棄物貯留部へ流動し、各々は、前記流体経路によって流体的に接続されている、項目７７に記載の診断システム。
（項目９２）
少なくとも１つの試薬および少なくとも１つの廃棄物が、前記カートリッジ上に貯蔵される、項目７７に記載の診断システム。
（項目９３）
少なくとも１つの試薬および少なくとも１つの廃棄物が、前記カートリッジ上に貯蔵され、前記診断器具は、貯蔵された前記少なくとも１つの試薬および前記少なくとも１つの廃棄物を含まない、項目７７に記載の診断システム。
（項目９４）
前記診断器具は、貯蔵されたサンプルを含まない、項目７７に記載の診断システム。
（項目９５）
前記診断器具は、貯蔵された流体を含まない、項目７７に記載の診断システム。
（項目９６）
前記診断器具は、貯蔵された試薬を含まない、項目７７に記載の診断システム。
（項目９７）
全ての流体は、前記カートリッジ上に貯蔵される、項目７７に記載の診断システム。
（項目９８）
全ての試薬は、前記カートリッジ上に貯蔵される、項目７７に記載の診断システム。
（項目９９）
運動アセンブリをさらに備えている、項目７７に記載の診断システム。
（項目１００）
前記運動アセンブリは、前記第１のプローブおよび前記廃棄物プローブに機械的に接続されている２つの運動軸を有する、項目９９に記載の診断システム。